(57)【要約】  【課題】  滴下性、使用性が良好で、衛生面、安全面に優れたコンタクトレンズ装着剤及びコンタクトレンズ装着剤セットの提供。  【解決手段】  少なくとも高分子化合物を含有するコンタクトレンズ装着液と、該コンタクトレンズ装着液を密封状態で充填し、かつ内容積が０．５〜２ｍＬである樹脂製容器を含むコンタクトレンズ装着剤であって、前記コンタクトレンズ装着液の２０℃における粘度が１０〜１００ｍＰａ・ｓであると共に、前記樹脂製容器が、前記コンタクトレンズ装着液を滴下する滴下口を有し、該滴下口の直径が０．３〜１．５ｍｍであり、かつ前記コンタクトレンズ装着剤の開封前におけるヘッドスペースが、該樹脂製容器の内容積に対し５〜９５％であることを特徴とするコンタクトレンズ装着剤。該コンタクトレンズ装着剤を、ディスポーザブル型（１回使いきり型）の１ユニットとし、該ユニットを２以上組合せてなるコンタクトレンズ装着剤セット。【選択図】        なし【特許請求の範囲】
【請求項１】
少なくとも高分子化合物を含有するコンタクトレンズ装着液と、該コンタクトレンズ装着液を密封状態で充填し、かつ内容積が０．５〜２ｍＬである樹脂製容器を含むコンタクトレンズ装着剤であって、前記コンタクトレンズ装着液の２０℃における粘度が１０〜１００ｍＰａ・ｓであると共に、前記樹脂製容器が、前記コンタクトレンズ装着液を滴下する滴下口を有し、該滴下口の直径が０．３〜１．５ｍｍであり、かつ前記コンタクトレンズ装着剤の開封前におけるヘッドスペースが、該樹脂製容器の内容積に対し５〜９５％であることを特徴とするコンタクトレンズ装着剤。
【請求項２】
樹脂製容器における樹脂が、ポリエチレン、ポリプロピレン、ポリエチレンテレフタレート及びポリエチレンナフタレートから選択される少なくとも１種である請求項１に記載のコンタクトレンズ装着剤。
【請求項３】
コンタクトレンズ装着液が、界面活性剤、ポリオール化合物、アミノ酸類及びムコ多糖類の少なくともいずれかを含有する請求項１から２のいずれかに記載のコンタクトレンズ装着剤。
【請求項４】
コンタクトレンズ装着液の１回の滴下量が、５〜３０μＬである請求項１から３のいずれかに記載のコンタクトレンズ装着剤。
【請求項５】
請求項１から４のいずれかに記載のコンタクトレンズ装着剤を、ディスポーザブル型（１回使いきり型）の１ユニットとし、該ユニットを２以上組合せてなることを特徴とするコンタクトレンズ装着剤セット。
【発明の詳細な説明】
【技術分野】
【０００１】
本発明は、滴下性、使用性が良好で、衛生面、安全面に優れたコンタクトレンズ装着剤及び該コンタクトレンズ装着剤を用いたコンタクトレンズ装着剤セットに関する。
【背景技術】
【０００２】
従来、コンタクトレンズを装用する際の装着容易性・装用感を向上させる目的で、高分子化合物を有効成分とするコンタクトレンズ装着剤が使用されており、該コンタクトレンズ装着剤は、コンタクトレンズ装着液が５ｍＬ以上、多くは５０ｍＬ以上の樹脂製容器に充填されている。
しかし、コンタクトレンズ装着液は、高分子化合物による粘性を有するため、１滴の量をコントロールすることが容易ではなかった。また、近年発売されている使いきりタイプの目薬のように、容量の小さい樹脂製容器に点眼液を充填する場合には、樹脂製容器の側面部を指で押して内容液（コンタクトレンズ装着液）をコンタクトレンズに滴下する際に、内容液を押出し難いという問題があった。
【０００３】
このため、前記内容液の押出し性向上を図る観点から、例えば、内溶液に脂溶性成分及び非イオン界面活性剤を含有させる方法が提案されている（特許文献１参照）。
しかしながら、この方法では、従来よりも内容液の押出しは容易になるが、樹脂製容器内の液体部と空気部の割合によって、滴下性が異なり、１滴の量をコントロールできないという不具合がある。即ち、内容液が多い場合よりも内容液が少ない場合の方が内溶液が出やすく、１滴の滴下量も多くなるという不都合があった。このため、内容液が多い場合を基準として滴下量を調整すると、内容液減少時には内容液が出すぎて滴下量のコントロールが困難となる。また、内容液が出すぎたために、コンタクトレンズ装着液の使用量が多くなりすぎると、レンズ装着時に液が目から溢れ、目の周りがべたついたり、睫毛などに付着した液が乾燥して析出物を生じる。この場合、使用感や見映えが悪いばかりでなく、析出物が目に入るなど衛生面、安全面でも問題があり、改善が望まれていた。
一方、内容液減少時を基準にして滴下量を調整した容器設計とした場合には、内容液が多い時には滴下が困難であるという問題が生じる。
【０００４】
従って、滴下性、使用性が良好で、衛生面、安全面に優れたコンタクトレンズ装着剤は、未だ十分満足し得るものが提供されていないのが現状である。
【０００５】
【特許文献１】特開２００１−３５４５９２号公報
【発明の開示】
【発明が解決しようとする課題】
【０００６】
本発明は、前記従来における諸問題を解決し、以下の目的を達成することを課題とする。即ち、本発明は、滴下性、使用性が良好で、衛生面、安全面に優れたコンタクトレンズ装着剤及び該コンタクトレンズ装着剤を用いたコンタクトレンズ装着剤セットを提供することを目的とする。
【課題を解決するための手段】
【０００７】
本発明者らは、前記課題に鑑み鋭意検討を重ねた結果、従来大きな容器に充填されていたコンタクトレンズ装着液を、内容積が０．５〜２ｍＬの樹脂製容器を使用して１〜数回、好ましくは１使用単位ずつ分割し、前記樹脂製容器の開封前におけるヘッドスペースが、該樹脂製容器の内容積に対し５〜９５％となるように充填及び密封することにより、粘性を有するコンタクトレンズ装着液であっても、滴下口から良好に適量を滴下できることを見出し、本発明を完成するに至った。
【０００８】
前記課題を解決するための手段としては、以下の通りである。即ち、
＜１＞  少なくとも高分子化合物を含有するコンタクトレンズ装着液と、該コンタクトレンズ装着液を密封状態で充填し、かつ内容積が０．５〜２ｍＬである樹脂製容器を含むコンタクトレンズ装着剤であって、前記コンタクトレンズ装着液の２０℃における粘度が１０〜１００ｍＰａ・ｓであると共に、前記樹脂製容器が、前記コンタクトレンズ装着液を滴下する滴下口を有し、該滴下口の直径が０．３〜１．５ｍｍであり、かつ前記コンタクトレンズ装着剤の開封前におけるヘッドスペースが、該樹脂製容器の内容積に対し５〜９５％であることを特徴とするコンタクトレンズ装着剤である。
＜２＞  樹脂製容器における樹脂が、ポリエチレン、ポリプロピレン、ポリエチレンテレフタレート及びポリエチレンナフタレートから選択される少なくとも１種である前記＜１＞に記載のコンタクトレンズ装着剤である。
＜３＞  コンタクトレンズ装着液が、界面活性剤、ポリオール化合物、アミノ酸類及びムコ多糖類の少なくともいずれかを含有する前記＜１＞から＜２＞のいずれかに記載のコンタクトレンズ装着剤である。
＜４＞  コンタクトレンズ装着液の１回の滴下量が、５〜３０μＬである前記＜１＞から＜３＞のいずれかに記載のコンタクトレンズ装着剤である。
＜５＞  前記＜１＞から＜４＞のいずれかに記載のコンタクトレンズ装着剤を、ディスポーザブル型（１回使いきり型）の１ユニットとし、該ユニットを２以上組合せてなることを特徴とするコンタクトレンズ装着剤セットである。
【０００９】
本発明のコンタクトレンズ装着剤は、少なくとも高分子化合物を含有するコンタクトレンズ装着液と、該コンタクトレンズ装着液を密封状態で充填し、かつ内容積が０．５〜２ｍＬである樹脂製容器を含むコンタクトレンズ装着剤であって、前記コンタクトレンズ装着液の２０℃における粘度が１０〜１００ｍＰａ・ｓであると共に、前記樹脂製容器が、前記コンタクトレンズ装着液を滴下する滴下口を有し、該滴下口の直径が０．３〜１．５ｍｍであり、かつ前記コンタクトレンズ装着剤の開封前におけるヘッドスペースが、該樹脂製容器の内容積に対し５〜９５％であるので、滴下性、使用性が良好である。
また、前記コンタクトレンズ装着剤は、１回〜数回毎の使用に適し、前記コンタクトレンズ装着液の細菌汚染の懸念が低く、防腐剤の配合量を低減することができるため、衛生面、安全面に優れ、防腐剤の吸着が問題となるソフトコンタクトレンズにも好適に使用可能である。
【００１０】
また、本発明のコンタクトレンズ装着剤セットは、本発明のコンタクトレンズ装着剤を、ディスポーザブル型（１回使いきり型）の１ユニットとし、該ユニットを２以上組合せてなるので、常備性に優れるとともに、前記コンタクトレンズ装着剤を手軽に使用することができ、使用性が更に向上する。
【発明の効果】
【００１１】
本発明によると、従来における問題を解決することができ、滴下性、使用性が良好で、衛生面、安全面に優れたコンタクトレンズ装着剤及び該コンタクトレンズ装着剤を用いたコンタクトレンズ装着剤セットを提供することができる。
【発明を実施するための最良の形態】
【００１２】
（コンタクトレンズ装着剤）
本発明のコンタクトレンズ装着剤は、コンタクトレンズ装着液と、樹脂製容器とを有し、更に必要に応じてその他の部材を有する。
【００１３】
＜樹脂製容器＞
前記樹脂製容器は、樹脂で形成された容器であり、少なくとも前記コンタクトレンズ装着液を滴下する滴下口を有し、更に収容部、蓋部などを有し、必要に応じてその他の部材を有する。
【００１４】
前記収容部は、可撓性を有する材料からなり、前記コンタクトレンズ装着液の滴下時に、前記収容部を指などで押すことにより、前記滴下口から前記コンタクトレンズ装着液が容易に押出される構造に形成されることが好ましい。
前記樹脂製容器の内容積（収容部の内容積）は０．５ｍＬ〜２ｍＬが好ましく、０．５ｍＬ〜１ｍＬがより好ましい。
前記収容部を形成する材料としては、可撓性を有する樹脂であれば、特に制限はなく、目的に応じて適宜選択することができるが、例えば、ポリエチレン（ＰＥ）、ポリプロピレン（ＰＰ）、ポリエチレンテレフタレート（ＰＥＴ）、ポリエチレンナフタレート（ＰＥＮ）などが好適に挙げられる。
前記収容部を形成する前記樹脂の厚さとしては、０．３〜２ｍｍが好ましく、０．５〜１ｍｍがより好ましい。
【００１５】
前記滴下口の直径は、前記コンタクトレンズ装着液の１回の滴下量が、５〜３０μＬとなるように設けられることが好ましい。ここで、該コンタクトレンズ装着液の１回の滴下量における最適値は、前記コンタクトレンズ装着液をコンタクトレンズの凹面に滴下し装着する場合において、レンズ装着時に前記コンタクトレンズ装着液が目から溢れ出ることなく目に入れることのできるのは３０μＬ以下であり、レンズの異物感の緩和やうるおい感などの装着液使用の効果が十分得られるのが５μＬ以上である。
具体的には、前記滴下口の直径は、０．３〜１．５ｍｍが好ましく、０．５〜１ｍｍがより好ましい。この範囲を充たす場合に、１０〜１００ｍＰａ・ｓの粘性を有する前記コンタクトレンズ装着液の１滴の滴下量が前記最適量（５〜３０μＬ）となる。
前記滴下口の材質としては、特に制限はなく、目的に応じて適宜選択することができるが、ポリエチレン（ＰＥ）、ポリプロピレン（ＰＰ）、ポリエチレンテレフタレート（ＰＥＴ）、ポリエチレンナフタレート（ＰＥＮ）などが好適に挙げられる。
【００１６】
前記樹脂製容器に前記コンタクトレンズ装着液を充填する際の、前記樹脂製容器の開封前における前記樹脂製容器中のヘッドスペース（空隙）は、前記樹脂製容器の内容積の５〜９５％が好ましい。前記ヘッドスペースが５％未満では前記コンタクトレンズ装着液を滴下しづらく、９５％を超えるとコストパフォーマンスが悪くなるため好ましくない。
【００１７】
前記蓋部は、前記滴下口を覆うことにより、前記コンタクトレンズ装着液を前記樹脂製容器内に密封する。
また、前記蓋部は、例えば、前記収容部と分離して設けられ、かつ着脱可能に形成されてもよいが、一体化して形成されることが好ましい。前記蓋部が着脱可能である場合には、蓋部を開閉することにより前記滴下口が使用可能となる。一方、前記蓋部が前記収容部と一体形成される場合には、前記滴下口が密閉された状態にて、使用時に前記蓋部を切り取ることにより、前記滴下口が使用可能となる（例えば、アンプルのような形状を有する使い切りタイプ）。
【００１８】
＜コンタクトレンズ装着液＞
前記コンタクトレンズ装着液は、有効成分として高分子化合物を含有し、更に必要に応じて、界面活性剤、ポリオール化合物、アミノ酸類、ムコ多糖類などの成分を含有してなる。これらの成分を配合することにより、前記コンタクトレンズ装着液の滴下性が向上する。
【００１９】
前記コンタクトレンズ装着液は、使用回数が１〜３回で使い切る分量となるように前記樹脂製容器に充填されることが好ましく、使用回数が１回で使い切る分量となるように充填されることがより好ましい。
【００２０】
−高分子化合物−
前記高分子化合物としては、特に制限はなく、目的に応じて適宜選択することができるが、水溶性であることが好ましく、例えば、セルロース誘導体、ポリビニル系高分子化合物などが好適に挙げられる。
前記セルロース誘導体としては、例えば、ヒドロキシプロピルセルロース、ヒドロキシプロピルメチルセルロース、ヒドロキシプロピルエチルセルロース、ヒドロキシエチルセルロース、メチルセルロース、カルボキシメチルセルロ−ス、などが挙げられる。
前記ポリビニル系高分子化合物としては、例えば、ポリビニルアルコール、ポリビニルピロリドンなどが挙げられる。
【００２１】
前記高分子化合物の分子量は、５０００〜５００００００が好ましい。
前記高分子化合物の前記コンタクトレンズ装着液における含有量は、０．１〜５ｇ／１００ｍＬが好ましい。
【００２２】
前記コンタクトレンズ装着液の２５℃における粘度は、１０〜１００ｍＰａ・ｓが好ましい。
また、前記コンタクトレンズ装着液の２０℃における粘度は、１０〜７０ｍＰａ・ｓが好ましく、１０〜５０ｍＰａ・ｓがより好ましい。
【００２３】
−界面活性剤−
前記界面活性剤としては、例えば、ポリオキシエチレン硬化ヒマシ油６０（例えば日本サーファクタント工業（株）製、ＨＣＯ−６０等）、ポリオキシエチレン（２０）ソルビタンモノオレエート（例えば日本サーファクタント工業（株）製、ＴＯ−１０等）、ポリオキシエチレンポリオキシプロピレンブロックコポリマー（例えば日本油脂（株）製、ポロクサマー４０７等）などが好適に使用可能である。
前記界面活性剤の含有量は、０．００５〜５％が好ましく、０．０１〜１％がより好ましい。
【００２４】
−ポリオール化合物−
前記ポリオール化合物は、常温（２５℃）において、液状であることが好ましい。該液状のポリオール化合物としては、特に制限はなく、目的に応じて適宜選択することができるが、例えば、エチレングリコール、プロピレングリコール、低分子量のポリエチレングリコール、グリセリンなど眼科用薬剤に配合可能であるものが好ましく、前記コンタクトレンズ装着液が乾燥しにくいという点で、グリセリンが特に好ましい。
前記液状のポリオール化合物の配合量は、特に制限はなく、目的に応じて適宜選択することができるが、０．０１〜１０ｇ／１００ｍＬが好ましく、０．０５〜５ｇ／１００ｍＬがより好ましく、０．１〜２ｇ／１００ｍＬが更に好ましい。前記液状のポリオール化合物の配合量が多すぎると浸透圧が高くなりすぎ、配合量が少なすぎると十分な乾燥防止効果が得られないことがある。
【００２５】
−アミノ酸類−
前記アミノ酸類としては、特に制限はなく、適宜選択することができるが、例えば、Ｌ−アスパラギン酸又はその塩、グルタミン酸又はその塩、アミノエチルスルホン酸又はその塩、イプシロン−アミノカプロン酸又はその塩、などが好適に挙げられる。
【００２６】
−ムコ多糖類−
前記ムコ多糖類としては、特に制限はなく、適宜選択することができるが、例えば、コンドロイチン硫酸又はその塩、ヒアルロン酸又はその塩、などが好適に挙げられる。
【００２７】
前記乾燥防止剤の配合量としては、０．００１〜１０ｇ／１００ｍＬが好ましく、０．００５〜５ｇ／１００ｍＬがより好ましく、０．０１〜２ｇ／１００ｍＬが更に好ましい。
【００２８】
また、必要に応じて、例えば、点眼剤などの眼科用薬剤の調製に通常使用する各種成分を、更に配合することができる。この際、通常使用量において好適に配合することが可能である。
前記各種成分としては、特に制限はなく、本発明の効果を損なわない範囲で配合する限り、目的に応じて適宜選択することができ、例えば、グリチルリチン酸二カリウム、アラントイン、塩化ベルベリン、硫酸ベルベリン、アズレンスルホン酸ナトリウム、硫酸亜鉛、乳酸亜鉛、塩化リゾチーム等の抗炎症剤；フラビンアデニンジヌクレオチドナトリウム（活性型ビタミンＢ２）、塩酸ピリドキシン（ビタミンＢ６）、シアノコバラミン（ビタミンＢ１２）、ビタミンＥアセテート、パントテン酸カルシウム、パントテン酸ナトリウム、酢酸レチノール、パルミチン酸レチノール（ビタミンＡパルミテート）等のビタミン類；エピネフリン、塩酸エピネフリン、塩酸エフェドリン、塩酸ナファゾリン、硝酸ナファゾリン、塩酸フェニレフリン、塩酸テトラヒドロゾリン等の充血除去成分；塩酸ジフェンヒドラミン、マレイン酸クロルフェニラミン等の抗ヒスタミン剤；スルファメトキサゾール、スルファメトキサゾールナトリウム、スルフイソキサゾール、スルフイソミジンナトリウム等のサルファ剤；クロモグリク酸、クロモグリク酸ナトリウム、トラニラスト、ペミロラストカリウム等の抗アレルギー剤；メチル硫酸ネオスチグミン等の有効成分；ソルビン酸、ソルビン酸カリウム、グルコン酸クロルヘキシジン、塩化ベンザルコニウム、塩化ベンゼトニウム、アルキルポリアミノエチルグリシン（例えばＫＯＴＯＢＵＫＩ  ＣＯ．ＬＴＤ製、テゴ−５１等）、パラオキシ安息香酸塩等の防腐剤；ホウ酸、ホウ砂、トロメタモール、リン酸水素ナトリウム、リン酸ナトリウム、クエン酸、クエン酸ナトリウム等の緩衝剤；塩化ナトリウム、塩化カリウム、塩化カルシウム、炭酸水素ナトリウム、炭酸ナトリウム、乾燥炭酸ナトリウム、硫酸マグネシウム等の無機塩類、ブドウ糖、Ｄ−マンニトール等の等張化剤；エチレンジアミン四酢酸、エチレンジアミン四酢酸二ナトリウム（エデト酸ナトリウム）、亜硫酸水素ナトリウム、乾燥亜硫酸ナトリウム、チオ硫酸ナトリウム、ピロ亜硫酸ナトリウム、メタ重亜硫酸ナトリウム等の安定化剤；ジブチルヒドロキシトルエン（ＢＨＴ）、アスコルビン酸等の抗酸化剤；エタノール、尿素、モノエタノールアミン、マクロゴール４０００、α−シクロデキストリン、β−シクロデキストリン、γ−シクロデキストリン等の溶解補助剤；メントール、カンフル、ボルネオール、ゲラニオール、リナロール、シネオール、クールミント、ハッカ水、ハッカ油、ウイキョウ油、ベルガモット油、ユーカリ油、ＷＳ−３等の香料（清涼化剤）；水酸化ナトリウム、水酸化カリウム、炭酸ナトリウム、炭酸水素ナトリウム、クエン酸ナトリウム等のアルカリ剤；塩酸、クエン酸、リン酸、酢酸等の酸、クロロブタノール等の局所麻酔剤などの添加剤が挙げられる。
【００２９】
前記コンタクトレンズ装着液の調製方法としては、特に制限はなく、目的に応じて公知の方法の中から適宜選択することができ、常法により調製することが可能である。
【００３０】
前記コンタクトレンズ装着剤の製造方法としては、特に制限はないが、例えば、常法により調製した前記コンタクトレンズ装着液を、前記樹脂製容器の前記収容部（容積が０．５〜２ｍＬ）内に、前記ヘッドスペースが５〜９５％となるように無菌充填し、密封するなどの方法が挙げられる。
【００３１】
本発明のコンタクトレンズ装着剤は、滴下性、使用性が良好で、衛生面、安全面に優れるので、医療用、一般用を問わず、コンタクトレンズ装着時に好適に使用可能である。適用可能なコンタクトレンズの材質や、用法などは、特に制限はなく、例えば、ハードコンタクトレンズ、酸素透過型ハードコンタクトレンズ、（従来型）ソフトコンタクトレンズ、頻回交換型ソフトコンタクトレンズ、毎日交換型ソフトコンタクトレンズ、バイフォーカルコンタクトレンズ、マルチフォーカルコンタクトレンズ、トーリックコンタクトレンズ、カラーコンタクトレンズなど、あらゆるコンタクトレンズに対して好適に使用することができる。
【００３２】
（コンタクトレンズ装着剤セット）
本発明のコンタクトレンズ装着剤セットは、前記コンタクトレンズ装着剤を、ディスポーザブル型（１回使いきり型）の１ユニットとし、該ユニットを２以上組合せてなる。
前記ディスポーザブル型のコンタクトレンズ装着剤を１ユニットとして、該ユニットを２以上組合わせて製品化することにより、常備性に優れるとともに、前記コンタクトレンズ装着剤を手軽に使用することができ、使用性が更に向上する。
【実施例】
【００３３】
以下、本発明の実施例について説明するが、本発明はこれらの実施例に何ら限定されるものではない。
【００３４】
（実験例１〜７）
−コンタクトレンズ装着液の調製−
常温の精製水にポリビニルアルコール（日本合成化学工業製、ＥＧ−０５Ｔ）２．０ｇを分散させた後、液温を８０℃に加温して溶解した。次いで、ヒドロキシプロピルメチルセルロース（信越化学工業製、メトローズ６０ＳＨ−５０）を分散させた後、室温まで冷却して溶解した。これに、塩化ナトリウム０．６ｇ、エデト酸ナトリウム０．０５ｇ、塩化ベンザルコニウム液（１０質量％）０．１ｇ、及びα−シクロデキストリン０．１ｇを精製水に予備溶解させた液を加え、適量の水酸化ナトリウムにてｐＨを６．０に調整した後、精製水にて１００ｍＬのメスアップを行った。その後、０．２２μｍの滅菌濾過を行い、コンタクトレンズ装着液を調製した。得られたコンタクトレンズ装着液の粘度は、２０℃において１８ｍＰａ・ｓであった。
【００３５】
次に、得られたコンタクトレンズ装着液について、下記装着試験を行った。結果を表１に示す。
【００３６】
−試験方法−
コンタクトレンズ装着液について、１回の使用量（１滴の量）が、表１に示す量となるように、定量ピペットを使用してコンタクトレンズの凹部に滴下し、装着試験を行った。装着試験は、コンタクトレンズ使用者１０名（酸素透過型ハードコンタクトレンズ使用者２名、頻回交換型ソフトコンタクトレンズ使用者８名）のボランティアをパネラーとし、該１０名のパネラーに、コンタクトレンズ装着液が滴下されたコンタクトレンズを目に装着してもらい、以下のようにしてコンタクトレンズ装着液の溢れ出し、べたつき、及びコンタクトレンズの装用感について評価した。
【００３７】
＜溢れ出し＞
実験例のコンタクトレンズ装着液が目から溢れ出すかどうかについて、以下の基準に基づいて評価した。
〔評価基準〕
○：全くコンタクトレンズ装着液の溢れがない
△：コンタクトレンズ装着液の溢れが１人以上３人以下のパネラーに認められる
×：コンタクトレンズ装着液の溢れが４人以上のパネラーに認められる
【００３８】
＜べたつき＞
実験例のコンタクトレンズ装着液が滴下されたコンタクトレンズを前記１０名のパネラーが装着し、１時間後の目の周りのべたつき感について、以下の基準に基づいて官能評価を行った。
〔評価基準〕
◎：全くべたつきがない
○：ほとんどべたつきが気にならない
△：べたつきがあるともないともいえない
×：べたつきがある
【００３９】
＜装用感＞
実験例のコンタクトレンズ装着液が滴下されたコンタクトレンズを前記パネラー１０名が装着し、１時間後の装用感について、以下の基準に基づいて官能評価を行った。
〔評価基準〕
５：装用感が非常によい
４：装用感がよい
３：装用感がよいとも悪いともいえない
２：装用感が悪い
１：装用感が非常に悪い
【００４０】
【表１】
2005164948.tif 000002
【００４１】
表１の結果から、１滴の量が５〜３０μＬである実験例１〜４のコンタクトレンズ装着液は、実験例５〜７に比べて、コンタクトレンズ装着液が目から溢れ出ることがなく、べたつきも感じられず、しかも、コンタクトレンズの装用感に優れていることが確認された。即ち、コンタクトレンズ装着液の１滴の量としては、５〜３０μＬが最適であることが認められた。
【００４２】
（実施例１〜６及び比較例１〜６）
−コンタクトレンズ装着剤の調製−
前記コンタクトレンズ装着液の調製で得られたコンタクトレンズ装着液の所定量を、表２及び表３に示す構造を有する樹脂製容器に充填し、実施例１〜６及び比較例１〜６のコンタクトレンズ装着剤を調製した。得られたコンタクトレンズ装着剤について、以下のようにして滴下試験を行い、滴下性について評価した。結果を表２及び表３に示す。
【００４３】
−滴下試験−
実施例及び比較例のコンタクトレンズ装着液について、滴下開始１滴目の滴下量と、樹脂製容器内の残存液量が１／１０のときの滴下量を測定した。
また、滴下開始１滴目と、樹脂製容器内の残存液量が１／１０のときの滴下性について、以下の基準に基づいて官能評価を行った。
〔評価基準〕
○：良好である
△：出し難い
×：液漏れを生じる
【００４４】
【表２】
2005164948.tif 000003
なお、表２において、ＰＥはポリエチレン、ＰＰはポリプロピレン、ＰＥＴはポリエチレンテレフタレート、ＰＥＮはポリエチレンナフタレートである。
【００４５】
【表３】
2005164948.tif 000004
なお、表３において、ＰＥはポリエチレン、ＰＰはポリプロピレン、ＰＥＴはポリエチレンテレフタレート、ＰＥＮはポリエチレンナフタレートである。
【００４６】
表２及び表３の結果から、実施例１〜６では、いずれも滴下開始１滴目と、樹脂製容器内のコンタクトレンズ装着液の１／１０残存時における滴下量は３０μＬ以下で、滴下性も良好であることが確認された。
一方、比較例１、２及び５では、樹脂製容器の内容積が２ｍＬより大きくなる、あるいは、滴下口の直径が１．５ｍｍより大きくなると、滴下量が３０μＬより多くなり、液漏れさえ生じた。これに対して、比較例３及び４では、前記内容積が０．５ｍＬより小さくなる、あるいは、前記滴下口の直径が０．３ｍｍより小さくなると、滴下性が悪化することが認められた。また、比較例６では、ヘッドスペースが５％よりも小さくなると、コンタクトレンズ装着液の１滴目の滴下性が著しく悪化することが確認された。
【００４７】
（実施例７〜１２）
−コンタクトレンズ装着剤の調製−
表４に示す組成のコンタクトレンズ装着液を、内容積０．５ｍＬ、樹脂材質がＰＥ、樹脂の厚みが０．７ｍｍ、滴下口直径が０．３ｍｍの樹脂製容器に、ヘッドスペースが２０％となるように充填し、実施例７〜１２のコンタクトレンズ装着剤を調製した。得られたコンタクトレンズ装着剤について、下記方法に基づいて、乾燥試験を行い、高分子化合物の析出の有無についての評価を行った。結果を表４に示す。
【００４８】
−乾燥試験−
実施例７〜１２のコンタクトレンズ装着液３０μＬを、スライドガラスに滴下し、５０℃、７５％ＲＨ雰囲気にて１時間放置した後、前記スライドガラスの外観を目視で観察し、以下の基準に基づいて官能評価を行った。
〔評価基準〕
５：透明である又は固化していない
４：わずかに白い
３：やや白い
２：白い
１：非常に白い
【００４９】
【表４】
2005164948.tif 000005
＊：Ｅ型粘度計（（株）東京計器社製、ＶＩＳＣＯＮＩＣ  ＥＬＤ．Ｒ使用、条件：ローターＮｏ．８８，回転数２０ｒｐｍ）で測定
【００５０】
表４の結果より、実施例７〜１２、特に、実施例８〜１２では、高分子化合物の析出抑制効果が確認され、衛生面、安全面に優れたコンタクトレンズ装着剤であることが認められた。
【産業上の利用可能性】
【００５１】
本発明のコンタクトレンズ装着剤及びコンタクトレンズ装着剤セットは、医療用、一般用を問わず、コンタクトレンズ装着時に好適に使用可能である。適用可能なコンタクトレンズの材質や、用法などは、特に制限はなく、例えば、ハードコンタクトレンズ、酸素透過型ハードコンタクトレンズ、（従来型）ソフトコンタクトレンズ、頻回交換型ソフトコンタクトレンズ、毎日交換型ソフトコンタクトレンズ、バイフォーカルコンタクトレンズ、マルチフォーカルコンタクトレンズ、トーリックコンタクトレンズ、カラーコンタクトレンズなど、あらゆるコンタクトレンズに対して好適に使用することができる。